(57)【要約】【課題】記録媒体を搬送する静電吸着搬送ベルトのベルト面への予備吐出を無くし、ラインフィードローラと静電吸着搬送ベルトとの間に予備吐出受を設けて、顔料インク及び定着発色促進剤含有インク等のような発一性の悪いインクに対向させて紙・紙間の予備吐出受とする。【解決手段】顔料インク用記録ヘッド及び定着発色促進剤含有インク用記録ヘッドを含む複数個の記録ヘッドが並列配置され、記録媒体搬送手段がラインフィードローラと静電吸着搬送ベルトを含むインクジェット記録装置であって、前記ラインフィードローラと前記静電吸着搬送ベルトとの間に前記顔料インク用記録ヘッドに対向して予備吐出受が配設され、前記定着発色促進剤含有インク用記録ヘッドに対向して保護キャップが設けられている。【選択図】　　　　図１
2004042572.tif 000002
【特許請求の範囲】
【請求項１】
顔料インク用記録ヘッド及び定着発色促進剤含有インク用記録ヘッドを含む複数個の記録ヘッドが並列配置され、記録媒体搬送手段がラインフィードローラと静電吸着搬送ベルトを含むインクジェット記録装置であって、
前記ラインフィードローラと前記静電吸着搬送ベルトとの間に前記顔料インク用記録ヘッドに対向して予備吐出受が配設され、前記定着発色促進剤含有インク用記録ヘッドに対向して保護キャップが設けられていることを特徴とするインクジェット記録装置。
【請求項２】
前記顔料インク用記録ヘッドが前記定着発色促進剤含有インク用記録ヘッドと一緒に昇降可能に設けられていることを特徴とする請求項１記載のインクジェット記録装置。
【請求項３】
前記顔料インク用記録ヘッドが前記定着発色促進剤インク用記録ヘッドと個別に昇降可能に設けられていることを特徴とする請求項１記載のインクジェット記録装置。
【請求項４】
前記保護キャップは、前記記録ヘッドのノズルが形成された面をキャッピングすることを特徴とする請求項１記載のインクジェット記録装置。
【請求項５】
前記記録ヘッドは、前記記録媒体の幅の全体に対応した範囲に亙ってノズルを配列して成るフルライン型の記録ヘッドであることを特徴とする請求項１記載のインクジェット記録装置。
【請求項６】
前記各記録ヘッドのノズル面の位置に移動可能に前記保護キャップが配置されていることを特徴とする請求項４記載のインクジェット記録装置。
【請求項７】
前記昇降のための機構は、前記記録ヘッドを昇降するねじ部材を有することを特徴とする請求項２または３記載のインクジェット記録装置。
【請求項８】
前記搬送手段は無端状の静電吸着搬送ベルトを有することを特徴とする請求項１記載のインクジェット記録装置。
【請求項９】
前記記録ヘッドはインクを吐出するために利用される熱エネルギーを発生する電気熱変換体を有することを特徴とする請求項１記載のインクジェット記録装置。
【請求項１０】
前記電気熱変換体は、インクに膜沸騰を生じさせる熱エネルギーを発生することを特徴とする請求項９記載のインクジェット記録装置。
【発明の詳細な説明】
【０００１】
【発明の属する技術分野】
本発明は、記録媒体にインクを吐出して記録を行うためのインクジェット記録装置、特に、記録紙のような記録媒体の全幅に対応した記録幅を有するフルライン・マルチ型の記録ヘッドを搭載したインクジェット記録装置において、記録媒体搬送用の搬送ベルトの予備吐出受に関するものである。
【０００２】
【従来の技術】
従来、インクジェット記録装置において、顔料を含むインクや、定着発色促進剤含有インク（ＡＭＭインク）は発一性が悪く、フルライン・マルチ型の記録ヘッドでは、ノズルがインクによって詰まるのを防止するために、短時間の間隔での常時予備吐出が必須である。
【０００３】
従来の静電ベルト上で印字を行うフルライン・マルチ型の記録装置では、紙と紙の間隔（以下に「紙・紙間」と呼ぶ）の静電ベルト上に予備吐出を行って、常時、静電ベルト上をクリーニングしている。
【０００４】
このような従来のフルライン・マルチ型の記録ヘッドを有するインクジェット記録装置の１つの例が、例えば、図３に示されている。
【０００５】
図３に示されるように、従来におけるインクジェット記録装置は、記録紙のような記録媒体を搬送する搬送ベルト１００と、搬送ベルト１００によって搬送される記録媒体に対して記録を行うための複数個のフルライン・マルチ型の記録ヘッド１０１Ｙ、１０１Ｃ、１０１Ｍ、１０１ＢＫと、これら記録ヘッド１０１Ｙ、１０１Ｃ、１０１Ｍ、１０１ＢＫのノズル面を覆って保護するためのキャッピング機構１０２とから大体構成されている。
【０００６】
搬送ベルト１００は、無端状の静電吸着ベルト部材を一対のローラ１０３に掛けて成り、搬送ベルト１００上に送り込まれた記録媒体上に記録ヘッド１０１Ｙ、１０１Ｃ、１０１Ｍ、１０１ＢＫによりインクを吐出して記録を行うものである。
【０００７】
複数個のフルライン・マルチ型の記録ヘッド１０１Ｙ、１０１Ｃ、１０１Ｍ、１０１ＢＫは、各記録ヘッド１０１Ｙ、１０１Ｃ、１０１Ｍ、１０１ＢＫのノズル面に設けられた複数個のノズルから単色または複数色の染色インクや定着発色促進剤含有インクを記録情報に応じて記録紙等の記録媒体の上に滴として吐出して画像を形成するもので、記録ヘッド１０１Ｙ、１０１Ｍ、１０１Ｃは、Ｙ（イエロー）、Ｍ（マゼンタ）、Ｃ（シアン）等の染料インクのカラーインク用の記録ヘッドであり、記録ヘッド１０１ＢＫは、黒顔料を含む黒インク用の記録ヘッドで、ブラック（ＢＫ）インクを吐出する記録ヘッドである。
【０００８】
これら記録ヘッド１０１Ｙ、１０１Ｃ、１０１Ｍ、１０１ＢＫは、支持枠１０４に並列して取付けられており、昇降駆動機構の駆動モータ１０５によってプーリとベルト１０６の組と、歯車１０７、１０８の組と、ラック１０９とピニオン１１０の組等を介して上下方向に昇降される。また、これら記録ヘッド１０１Ｙ、１０１Ｃ、１０１Ｍ、１０１ＢＫのノズル面を覆ってキャッピングするキャッピング機構１０２は、支持枠１１１に並列して支持された複数個のキャップ部材１１２を有しており、キャップ部材１１２は、支持枠１１１を介して駆動モータ１１３によってピニオン１１４とラック１１５を介して水平方向に移動できるように支持されている。
【０００９】
【発明が解決しようとする課題】
しかしながら、このような従来のインクジェット記録装置におけるクリーニング方法では、搬送ベルト上にインクが付着すると、搬送ベルトを形成している静電吸着ベルトの誘電率が変化してしまい、静電吸着率が弱まり紙搬送精度が劣化してしまう。
【００１０】
また、定着発色促進剤含有インク（ＡＭＭインク）を使用する場合などは、乾燥すると静電吸着ベルト上に定着して固まってしまい、ベルトクリーナ等ではクリーニングできないと言った問題が見られる。
【００１１】
さらに、予備吐出を行うために予備吐出受を設ける場合には、設置場所がないためにフルライン・マルチ型の記録ヘッド群を移動させたり、予備吐出受を印字中は退避させねばならないが、これら移動時間を常時予備吐出時間間隔内で行うことは不可能である。
【００１２】
従って、本発明の目的は、このような従来における問題を解決するために、記録媒体を搬送する静電吸着搬送ベルトのベルト面への予備吐出を無くし、ラインフィードローラと静電吸着搬送ベルトとの間に予備吐出受を設けて、顔料インク及び定着発色促進剤含有インク等のような発一性の悪いインクに対向させて紙・紙間の予備吐出受とするインクジェット記録装置を提供することにある。
【００１３】
【課題を解決するための手段】
本発明のインクジェット記録装置は、顔料インク用記録ヘッド及び定着発色促進剤含有インク用記録ヘッドを含む複数個の記録ヘッドが並列配置され、記録媒体搬送手段がラインフィードローラと静電吸着搬送ベルトを含むインクジェット記録装置であって、前記ラインフィードローラと前記静電吸着搬送ベルトとの間に前記顔料インク用記録ヘッドに対向して予備吐出受が配設され、前記定着発色促進剤含有インク用記録ヘッドに対向して保護キャップが設けられていることを特徴とする。
【００１４】
また、本発明のインクジェット記録装置は、前記顔料インク用記録ヘッドが前記定着発色促進剤含有インク用記録ヘッドと一緒に昇降可能に設けられていることを特徴とする。
【００１５】
さらに、本発明のインクジェット記録装置は、前記顔料インク用記録ヘッドが前記定着発色促進剤含有インク用記録ヘッドと個別に昇降可能に設けられていることを特徴とする。
【００１６】
さらにまた、本発明のインクジェット記録装置は、前記保護キャップが、前記記録ヘッドのノズルが形成された面をキャッピングすることを特徴とする。
【００１７】
本発明のインクジェット記録装置は、前記記録ヘッドが、前記記録媒体の幅の全体に対応した範囲に亙ってノズルを配列して成るフルライン型の記録ヘッドであることを特徴とする。
【００１８】
また、本発明のインクジェット記録装置は、前記各記録ヘッドのノズル面の位置に移動可能に前記保護キャップが配置されていることを特徴とする。
【００１９】
さらに、本発明のインクジェット記録装置は、前記昇降のための機構が、前記記録ヘッドを昇降するねじ部材を有することを特徴とする。
【００２０】
さらにまた、本発明のインクジェット記録装置は、前記搬送手段が無端状の静電吸着搬送ベルトを有することを特徴とする。
【００２１】
本発明のインクジェット記録装置は、前記記録ヘッドがインクを吐出するために利用される熱エネルギーを発生する電気熱変換体を有することを特徴とする。
【００２２】
また、本発明のインクジェット記録装置は、前記電気熱変換体は、インクに膜沸騰を生じさせる熱エネルギーを発生することを特徴とする。
【００２３】
本発明の他の目的と特徴および利点は以下の添付図面に沿っての詳細な説明から明らかになろう。
【００２４】
【発明の実施の形態】
（実施例１）
図１は、本発明におけるフルライン・マルチ型インクジェット記録装置の第１の実施例を示す側面摸式図である。
【００２５】
図１に示されるように、本発明が適用されるインクジェット記録装置は、記録紙のような記録媒体Ｐ上に画像を形成して記録する複数個のフルライン・マルチ型の記録ヘッド１Ｙ、１Ｃ、１Ｍ、１ＢＫを一体的に構成支持して成る記録ヘッドユニット１と、記録ヘッドユニット１によって記録するために記録媒体Ｐを搬送する搬送ベルトユニット２と、記録媒体Ｐを積載保持する記録媒体積載部３と、記録された記録媒体Ｐが排出積載される記録媒体排出部４と、記録ヘッドユニット１を上下動する記録ヘッド昇降機構５とから概略的に構成され、各記録ヘッド１Ｙ、１Ｃ、１Ｍ、１ＢＫのノズル面を保護する保護キャップ６と、記録ヘッド１ＢＫからの予備吐出を受けるように予備吐出受支持部８に固着された予備吐出受７とが設けられている。
【００２６】
本発明のインクジェット記録装置における記録ヘッドユニット１はフルライン・マルチ型の記録ヘッドユニットで、記録紙のような記録媒体Ｐの幅全体に対応した範囲に亙って、多数のノズルを配列した所謂、フルライン型の複数個の記録ヘッド１Ｙ、１Ｃ、１Ｍ、１ＢＫから成り、各記録ヘッド１Ｙ、１Ｃ、１Ｍ、１ＢＫのノズル面に設けられた複数個のノズルから単色または複数色の染色インクや定着発色促進剤含有インクを記録情報に応じて記録紙等の記録媒体Ｐの上に、例えば滴として吐出して画像を形成するものである。例えば、記録ヘッド１Ｙ、１Ｍ、１Ｃは、Ｙ（イエロー）、Ｍ（マゼンタ）、Ｃ（シアン）等の染料インクのカラーインク用の記録ヘッドであり、記録ヘッド１ＢＫは、黒顔料を含む黒インク用の記録ヘッドで、ブラック（ＢＫ）インクを吐出する記録ヘッドである。さらにまた、記録ヘッド１Ｙ、１Ｍ、１Ｃは、記録媒体Ｐ上のインクの定着性を向上して記録品位を向上するための処理液としての定着発色促進剤（ＡＭＭ液）含有インクを吐出するものとすることができる。
【００２７】
また、記録方式としては、熱によるインクの膜沸騰によってインクを吐出するバブルジェットなどの電気熱変換素子を利用するものや、ピエゾ素子等の圧電素子によってインクを吐出する圧電型によるもの等がある。
【００２８】
記録紙等の記録媒体Ｐは、記録媒体積載部３からラインフィードローラユニット９によって搬送され、記録媒体Ｐの先端部が、静電吸着ベルト部材から成る搬送ベルトユニット２に到達すると、記録媒体Ｐの後端部がラインフィードローラユニット９から離れても、記録媒体Ｐは搬送ベルトユニット２によって搬送される。ラインフィードローラユニット９は、ラインフィードローラ９ａと押圧ローラ９ｂとを有し、記録媒体Ｐを搬送ベルトユニット２へと送り込む。
【００２９】
記録ヘッドユニット１は、フルライン・マルチ型の複数個の記録ヘッド１Ｙ、１Ｃ、１Ｍ、１ＢＫと、これら記録ヘッド１Ｙ、１Ｃ、１Ｍ、１ＢＫを一体的に固定支持する記録ヘッド支持枠１１と、記録ヘッド支持枠１１を上下方向に昇降する記録ヘッド昇降機構５と、各記録ヘッド１Ｙ、１Ｃ、１Ｍ、１ＢＫのノズル面を覆う複数個の保護キャップ６とから構成されており、記録ヘッド１ＢＫから予備吐出されたインクは、予備吐出受８によって受けられる。このような記録ヘッドユニット１において、予備吐出受８は、記録ヘッド１ＢＫのノズル列に対向した開口を有し、ラインフィードローラユニット９と搬送ベルトユニット２の間に、記録媒体Ｐのガイドを兼ねる予備吐出受支持部８に設置され、これによって支持されている。複数個の保護キャップ６は、各記録ヘッド１Ｙ、１Ｃ、１Ｍ、１ＢＫの不使用時にノズルの乾燥を防止するための部材であり、各記録ヘッド１Ｙ、１Ｃ、１Ｍ、１ＢＫのノズル面を払拭するブレードを備えている。また、記録ヘッド１Ｙ、１Ｃ、１Ｍ、１ＢＫの常時予備吐出間隔内で記録ヘッドの昇降移動や保護キャップ６の移動が十分に行うことができる。
【００３０】
フルライン・マルチ型のインクジェット記録装置はその印刷高速性を維持するために、記録ヘッド１Ｙ、１Ｃ、１Ｍ、１ＢＫの回復が一連の印刷動作中、すなわち記録時に、随時に、例えば記録媒体Ｐである紙と紙の間の搬送間隙を利用して、インクを予備吐出しながら行われる。また、フルライン・マルチ型の記録ヘッド１Ｙ、１Ｃ、１Ｍ、１ＢＫと記録媒体Ｐとは印字精度の関係で、できるだけ小さな間隔に保つのが好適であり、さらに、予備吐出は記録媒体Ｐと記録媒体Ｐとの間の搬送手段である搬送ベルトユニット２の上に行われるので、従って、このような予備吐出されたインクを回収することが必要になる。このために、後述するように、搬送ベルトユニット２上に予備吐出されたその他のインクは、ベルト部材を払拭するクリーニング部材やローラクリーナー等によってインクが拭き取られたり、吸収されたりして清掃される。
【００３１】
搬送手段を形成する搬送ベルトユニット２は、一対のローラ１２、１２に懸けられた無端状の搬送ベルト２ａから成り、図示しない適宜な電動機のような駆動源によって駆動され、このような搬送ベルト２ａの上に置かれた記録媒体Ｐの上に記録ヘッド１Ｙ、１Ｃ、１Ｍ、１ＢＫからインクが吐出されて必要な記録が行われる。また、搬送ベルト２ａは、ゴムや合成ゴム等を布地と積層して接着して成る静電吸着ベルトのようなベルト生地材料から形成され、インク等の汚れが簡単かつ良好に取れて落ちる材料から作られたものが好適である。
【００３２】
記録ヘッド昇降機構５は、記録ヘッド１Ｙ、１Ｃ、１Ｍ、１ＢＫを一体的に固定支持する記録ヘッド支持枠１１と、この記録ヘッド支持枠１１を上下方向に昇降するように記録ヘッド支持枠１１に螺合されたねじ部材１４と、このねじ部材１４を歯車１６を介して回転駆動する駆動モータ１５とを有しており、駆動モータ１５によって歯車１６を介してねじ部材１４を回転することによって記録ヘッド支持枠１１を上下方向に昇降することができる。
【００３３】
このように構成された本発明のインクジェット記録装置において、記録ヘッド昇降機構５によって記録ヘッドユニット１を上方に引き上げた時に、複数個の保護キャップ６が一緒に右方向に移動されて記録ヘッド１Ｙ、１Ｃ、１Ｍ、１ＢＫのノズル面を払拭してきれいにしてノズル面の直下に位置されてキャッピングすることができ、必要に応じては予備吐出が行われ、これら保護キャップ６によって予備吐出されたインクを受けることができる。
【００３４】
このように構成された本発明のインクジェット記録装置においては、記録ヘッド１Ｙ、１Ｃ、１Ｍの予備吐出は、搬送ベルトユニット２の搬送ベルト２ａのベルト面や記録媒体の上に対しても行うことができ、定着発色促進剤含有インクは一般に無色か淡色のために搬送ベルト２ａのベルト面や記録媒体の上に予備吐出しても画像品位を損なうことがないが、顔料インクは一般的に黒色の場合が多く濃度も高いためにベルト面２ａや記録媒体への予備吐出が不可能である。従って、顔料インク用の記録ヘッド１ＢＫの予備吐出は、紙・紙間において予備吐出受７に対して行なわれて、この予備吐出受７によって顔料インクが受けられるために、搬送ベルト２ａや記録媒体Ｐへの予備吐出が避けられる。
【００３５】
また、保護キャップ６の待機位置においては、保護キャップ６の上下先端部分が記録ヘッド支持枠１１や搬送ベルト２ａ上の記録媒体Ｐの記録面に何等接触することなく自由な状態に位置されており、搬送ベルト２ａ上の記録媒体Ｐ等には何等影響を及ぼすことがなく、従って、搬送ベルト２ａ上の記録媒体Ｐに記録ヘッド１Ｙ、１Ｃ、１Ｍ、１ＢＫによって記録が好適に行われる。
【００３６】
他方、記録ヘッド１Ｙ、１Ｃ、１Ｍ、１ＢＫに対して、このような記録や予備吐出とは別に、記録ヘッド１Ｙ、１Ｃ、１Ｍ、１ＢＫが上方に移動された位置において、記録ヘッドユニット１の各記録ヘッド１Ｙ、１Ｃ、１Ｍ、１ＢＫのノズル面のキャッピングや、回復操作を行うことができる。すなわち、非記録動作時等において記録ヘッドユニット１の各記録ヘッド１Ｙ、１Ｃ、１Ｍ、１ＢＫのノズルのインク乾燥を防ぐためには、各記録ヘッド１Ｙ、１Ｃ、１Ｍ、１ＢＫのノズル面がキャッピングされることが望ましく、このために各記録ヘッド１Ｙ、１Ｃ、１Ｍ、１ＢＫが一旦上方に移動されて保護キャップ６をノズル面に対向させた後に、再度記録ヘッド１Ｙ、１Ｃ、１Ｍ、１ＢＫを下方に変位させることによってノズル面が覆われて保護される。この場合に、保護キャップ６に対向した状態でインクを予備吐出する回復処理や、インク供給等の加圧等によってインクをノズルから強制排出する回復処理を行うことができ、この際に記録ヘッド１Ｙ、１Ｃ、１Ｍ、１ＢＫから吐出されたインクは保護キャップ６の内部開口部により受けられて、この内部開口部内に収容される。また、このインクが、内部開口部内に設けられたインク吸収体等によって保持されることもできる。なお、印字中の記録ヘッド１ＢＫの予備吐出は、記録媒体Ｐの、紙・紙間において予備吐出受７に対して行なわれる。
【００３７】
このように、記録を行わない時には、保護キャップ６により記録ヘッドユニット１の各記録ヘッド１Ｙ、１Ｃ、１Ｍ、１ＢＫのノズル面をキャッピングしてノズル面を保護すると共に、インクの乾燥を防止することができる。また、この状態で搬送ベルト２ａを駆動すれば、図示しない、例えば搬送ベルト２ａのリターン側に設けられたクリーニング部材等によって搬送ベルト２ａの表面を好適に清掃することができるので、搬送ベルト２ａのベルト面上に予備吐出されたインクを良好に除去することができる。さらに、このような搬送ベルト２ａの清掃は記録媒体Ｐの搬送精度に関わりなく行うことができる。
【００３８】
従って、このように構成された本発明のインクジェット記録装置においては、図１に示される位置において、記録ヘッドユニット１からインクが吐出されて搬送ベルト２ａ上の記録紙等の記録媒体Ｐに記録が行われると共に、予備吐出が行われる。この予備吐出は、図示されるように記録ヘッドユニット１の記録ヘッド１Ｙ、１Ｃ、１Ｍによって染料インクが記録媒体Ｐまたは搬送ベルト２ａのベルト面上に行うことができ、顔料インクは上記したように紙・紙間において予備吐出出受７に対して行なわれる。
【００３９】
一方、図１に示されるように、各記録ヘッド１Ｙ、１Ｃ、１Ｍ、１ＢＫのノズル面のキャッピング時には、記録ヘッドユニット１が上方位置に移動された際に各記録ヘッド１Ｙ、１Ｃ、１Ｍ、１ＢＫのノズル面の下に向かって保護キャップ６が作動されてキャッピングされ、また、各記録ヘッド１Ｙ、１Ｃ、１Ｍ、１ＢＫのノズルからインクが吐出されること等によって所要の回復処理が行われる。この時に各記録ヘッド１Ｙ、１Ｃ、１Ｍ、１ＢＫのノズルから吐出されたインクは保護キャップ６の内部開口部によって受容される。
【００４０】
（実施例２）
図２には、本発明のインクジェット記録装置における第２の実施例が示されており、図示されるように、この実施例２においては、インクジェット記録装置は、顔料インク用の記録ヘッド２１ＢＫが、染料インク用の記録ヘッド２１Ｙ、２１Ｃ、２１Ｍと別々の群をなすよう分離独立していることが、先の実施例１のものと異なっている。
【００４１】
すなわち、本実施例においては、インクジェット記録装置は、フルライン・マルチ型の第１の群の顔料インク用の記録ヘッド２１ＢＫと第２の群の複数個の染料インク用の記録ヘッド２１Ｙ、２１Ｃ、２１Ｍとから成る記録ヘッドユニット２１と、記録ヘッドユニット２１によって記録するために記録媒体Ｐを搬送する搬送ベルトユニット２２と、記録媒体Ｐを積載保持する記録媒体積載部２３と、第１の群の記録ヘッド２１ＢＫを上下動する第１の記録ヘッド昇降機構２４と、第２の群の一体的に構成された記録ヘッド２１Ｙ、２１Ｃ、２１Ｍを上下動する第２の記録ヘッド昇降機構２５とから概略的に構成され、第２の群の記録ヘッド２１Ｙ、２１Ｃ、２１Ｍのノズル面をそれぞれ保護する複数個の保護キャップ２６と、記録ヘッド２１ＢＫからの予備吐出を受ける予備吐出受２７と、ラインフィードローラユニット２８とが設けられている。
【００４２】
第１の群の記録ヘッド２１ＢＫは、記録ヘッド支持枠２９に固着され、第１の記録ヘッド昇降機構２４のねじ部材３０を駆動モータ３１により歯車３２を介して回転することによって上下方向に昇降することができる。この第１の群の記録ヘッド２１ＫＢに対向して予備吐出されたインクを受ける予備吐出受２７が、搬送ベルトユニット２２とラインフィードローラユニット２８との間に固定して設けられており、さらに記録ヘッド２１ＫＢのノズル面を払拭するブレードがこの予備吐出受２７に設けられている。
【００４３】
また、第２の群の記録ヘッド２１Ｙ、２１Ｃ、２１Ｍを昇降する記録ヘッド昇降機構２５は、これら記録ヘッド２１Ｙ、２１Ｃ、２１Ｍを一体的に固定支持する記録ヘッド支持枠３３と、記録ヘッド支持枠３３を上下方向に昇降するねじ部材３４と、ねじ部材３４を歯車３６を介して回転するためのモータ３５とを有しており、記録ヘッド２１Ｙ、２１Ｃ、２１Ｍが装着された記録ヘッド支持枠３３を、駆動モータ３５を作動して歯車３６を介してねじ部材３４を回転することによって上下動することができる。さらに、これら記録ヘッド２１Ｙ、２１Ｃ、２１Ｍのノズル面を覆う複数個の保護キャップ２６が一体的に設けられており、各記録ヘッド２１Ｙ、２１Ｃ、２１Ｍの不使用時のノズルの乾燥を防止する。また、これら保護キャップ２６は、各記録ヘッド２１Ｙ、２１Ｃ、２１Ｍ、２１ＢＫのノズル面を払拭するブレードを備えている。
【００４４】
このような記録ヘッドユニット２１において、予備吐出受２７は、記録ヘッド２１ＢＫのノズル列に対向した開口を有し、ラインフィードローラユニット２８と搬送ベルトユニット２２の間に設置されており、記録ヘッド２１ＢＫから予備吐出された顔料インクを受けて収容されるようになっている。また、予備吐出受２７は記録ヘッド２１ＢＫのノズル面を払拭するブレードを備えている。なお、記録ヘッド２１ＢＫの不使用時には、記録ヘッド２１ＢＫは、予備吐出受２７を押し付ける位置にまで加工されて予備吐出受２７に当接される。さらに、記録ヘッド２１Ｙ、２１Ｃ、２１Ｍ、２１ＢＫの常時予備吐出間隔内で記録ヘッドの昇降移動や保護キャップ２６の移動が同様に十分に行うことができる。
【００４５】
（実施例３）
図示されていないが、本発明のインクジェット記録装置における第３の実施例では、上記第１の実施例の記録ヘッドユニット１において、顔料インク用の記録ヘッド１ＢＫと、定着発色促進剤含有インク用の記録ヘッド１Ｍとの間に別の定着発色促進剤含有インク用の記録ヘッドを配設して５ヘッドタイプとしたものである。この実施例３においては、搬送ベルトユニット２とラインフィードローラユニット９との間に、予備吐出受７を記録ヘッド１ＢＫ用と定着発色促進剤含有インク用記録ヘッド用に、２個配置することによって記録媒体面予備吐出を避けることができるように構成できる。
【００４６】
このように構成された本発明のインクジェット記録装置によれば、固着し易くて拭き取り操作でクリーニングし難く、発一性の時間間隔が短いインク用のフルマルチタイプの記録ヘッドを用い、ラインフィードローラと静電搬送ベルトの間に予備吐出受を設けて紙・紙間予備吐出受とした記録媒体搬送系を構成することが可能となる。
【００４７】
【発明の効果】
本発明の請求項１記載のインクジェット記録装置は、顔料インク用記録ヘッド及び定着発色促進剤含有インク用記録ヘッドを含む複数個の記録ヘッドが並列配置され、記録媒体搬送手段がラインフィードローラと静電吸着搬送ベルトを含むインクジェット記録装置であって、前記ラインフィードローラと前記静電吸着搬送ベルトとの間に前記顔料インク用記録ヘッドに対向して予備吐出受が配設され、前記定着発色促進剤含有インク用記録ヘッドに対向して保護キャップが設けられているので、顔料インクや定着発色促進剤含有インク等のような発一性の悪いインクに対向させて紙・紙間の予備吐出受として、良好な記録を行うことができ、かつ搬送手段の搬送面を良好に清潔に維持することができる。
【００４８】
本発明の請求項２記載のインクジェット記録装置は、前記顔料インク用記録ヘッドが前記定着発色促進剤含有インク用記録ヘッドと一緒に昇降可能に設けられているので、簡単な構成に製作することができると共に、良好な記録を行うことができる。
【００４９】
本発明の請求項３記載のインクジェット記録装置は、前記顔料インク用記録ヘッドが前記定着発色促進剤含有インク用記録ヘッドと個別に昇降可能に設けられているので、顔料インク用記録ヘッドと定着発色促進剤含有インク用記録ヘッドとを別々に作動して予備吐出を行うことができるし、回復処理を好適に行うことができる。
【００５０】
本発明の請求項４記載のインクジェット記録装置は、前記保護キャップが、前記記録ヘッドのノズルが形成された面をキャッピングするので、記録ヘッドのノズル面を良好にキャッピングしてノズルのインクによる詰まりを防止して好適に保護することができる。
【００５１】
本発明の請求項５記載のインクジェット記録装置は、前記記録ヘッドが、前記記録媒体の幅の全体に対応した範囲に亙ってノズルを配列して成るフルライン型の記録ヘッドであるので、記録媒体の全幅に亙って好適に記録することができ、良好な記録を行うことができる。
【００５２】
本発明の請求項６記載のインクジェット記録装置は、各記録ヘッドのノズル面の位置に移動可能に前記保護キャップが配置されているので、各記録ヘッドのノズル面の乾燥を防ぐことができ、ノズルが詰まるのを防止し、回復処理を行うことができる。
【００５３】
本発明の請求項７記載のインクジェット記録装置は、前記昇降のための機構が、前記記録ヘッドを昇降するねじ部材を有するので、簡単な構成で、確実に昇降することができる。
【００５４】
本発明の請求項８記載のインクジェット記録装置は、前記搬送手段は無端状の静電吸着搬送ベルトを有するので、簡単に、かつ安価に搬送手段を構成することができる。
【００５５】
本発明の請求項９記載のインクジェット記録装置は、前記記録ヘッドがインクを吐出するために利用される熱エネルギーを発生する電気熱変換体を有するので、熱エネルギーを利用してインクを吐出することにより記録の高密度化と高精細化を達成でき、きれいな記録が得られる。
【００５６】
本発明の請求項１０記載のインクジェット記録装置は、前記電気熱変換体は、インクに膜沸騰を生じさせる熱エネルギーを発生するので、熱エネルギーを利用してインクを吐出し、これによって記録の高密度化と高精細化を達成でき、きれいな記録が得られる。
【図面の簡単な説明】
【図１】本発明のインクジェット記録装置の第１実施例におけるフルラインマルチ型のインクジェット記録装置の側面模式図である。
【図２】本発明のインクジェット記録装置の第２実施例における搬送手段の搬送ベルトとの側面模式図である。
【図３】従来のインクジェット記録装置における斜視図である。
【符号の説明】
１　　　記録ヘッドユニット
２　　　搬送ベルトユニット
３　　　記録媒体積載部
４　　　記録媒体排出部
５　　　記録ヘッド昇降機構
６　　　保護キャップ
７　　　予備吐出受
８　　　予備吐出受支持部
９　　　ラインフィードローラユニット
１１　　記録ヘッド支持枠
１２　　ローラ
１４　　ねじ部材
１５　　駆動モータ
２１　　記録ヘッドユニット
２２　　搬送ベルトユニット
２３　　記録媒体積載部
２４　　第１記録ヘッド昇降機構
２５　　第２記録ヘッド昇降機構
２６　　保護キャップ
２７　　予備吐出受
２８　　ラインフィードローラユニット
２９　　記録ヘッド支持枠
３０　　ねじ部
３１　　駆動モータ
３２　　歯車
３３　　記録ヘッド支持枠
３４　　ねじ部材
３５　　駆動モータ
３６　　歯車
【図１】
2004042572.tif 000003
【図２】
2004042572.tif 000004
【図３】
2004042572.tif 000005